(57)【特許請求の範囲】
【請求項１】
汎用画像フォーマットでない形式の複数の診療情報データを保管し、ユーザからの配信要求に対して該配信要求に係る前記診療情報データを画像データに変換し、前記配信要求に関する情報であるアクセス情報および前記画像データの改変を防止するための改変防止情報を前記画像データに付加した汎用画像フォーマットの配信画像データを作成し、前記配信画像データを出力し、前記配信画像データおよび配信ログを保管することを特徴とする診療情報配信方法。
【請求項２】
請求項１に記載の診療情報配信方法において、前記汎用画像フォーマットでない形式が、前記診療情報データを作成したアプリケーションのデータ保存形式であることを特徴とする診療情報配信方法。
【請求項３】
請求項１または請求項２に記載の診療情報配信方法において、前記汎用画像フォーマットが、ＪＰＥＧ形式，ＰＮＧ形式およびＧＩＦ形式のいずれかであることを特徴とする診療情報配信方法。
【請求項４】
請求項１から請求項３のいずれかに記載の診療情報配信方法において、前記アクセス情報は、配信要求に係るユーザの識別情報および配信日時を含むことを特徴とする診療情報配信方法。
【請求項５】
請求項１から請求項４のいずれかに記載の診療情報配信方法において、前記改変防止情報は、前記画像データのチェックサム情報を含むことを特徴とする診療情報配信方法。
【請求項６】
請求項１から請求項５のいずれかに記載の診療情報配信方法において、前記画像データは、前記診療情報データに含まれる個人情報を抽出して変換した個人情報画像データと、前記個人情報以外の情報を抽出して変換した非個人情報画像データとからなることを特徴とする診療情報配信方法。
【請求項７】
汎用画像フォーマットでない形式の診療情報データを取り込むための取り込みインタフェース部と、取り込んだ複数の診療情報データを保管するストレージ部と、ユーザからの配信要求を受け付けるための受付インタフェース部と、受け付けた配信要求に係る診療情報データを前記ストレージ部から読み出して画像データに変換すると共に前記配信要求に関する情報であるアクセス情報および前記画像データの改変を防止するための改変防止情報を前記画像データに付加した汎用画像フォーマットの配信画像データを作成するレンダリング部と、前記配信画像データを出力するための出力インタフェース部と、前記配信画像データおよび配信ログを保管する配信情報保管部とを具備したことを特徴とする診療情報配信サーバ。
【請求項８】
請求項７に記載の診療情報配信サーバにおいて、前記汎用画像フォーマットでない形式が、前記診療情報データを作成したアプリケーションのデータ保存形式であることを特徴とする診療情報配信サーバ。
【請求項９】
請求項７または請求項８に記載の診療情報配信サーバにおいて、前記汎用画像フォーマットが、ＪＰＥＧ形式，ＰＮＧ形式およびＧＩＦ形式のいずれかであることを特徴とする診療情報配信サーバ。
【請求項１０】
請求項７から請求項９のいずれかに記載の診療情報配信サーバにおいて、前記アクセス情報は、配信要求に係るユーザの識別情報および配信日時を含むことを特徴とする診療情報配信サーバ。
【請求項１１】
請求項７から請求項１０のいずれかに記載の診療情報配信サーバにおいて、前記改変防止情報は、前記画像データのチェックサム情報を含むことを特徴とする診療情報配信サーバ。
【請求項１２】
請求項７から請求項１１のいずれかに記載の診療情報配信サーバにおいて、前記画像データは、前記診療情報データに含まれる個人情報を抽出して変換した個人情報画像データと、前記個人情報以外の情報を抽出して変換した非個人情報画像データとからなることを特徴とする診療情報配信サーバ。
【発明の詳細な説明】
【技術分野】
【０００１】
本発明は、診療情報配信方法および診療情報配信サーバに関し、さらに詳しくは、汎用性と保全性の高い診療情報配信方法および診療情報配信サーバに関する。
【背景技術】
【０００２】
従来、医療各部門の端末で作成されたレポートを該端末が汎用プリントイメージ（例えばＰＤＦ形式）に変換すると共に識別コードを含むファイル名を付して管理サーバへ送出し、管理サーバがファイル名の識別コードを解読して該識別コードに対応する患者カルテフォルダにプリントイメージを追加する医療情報管理方法が提案されている（例えば、特許文献１参照。）。
【特許文献１】特許第３３２８８８２号公報
【発明の開示】
【発明が解決しようとする課題】
【０００３】
従来の医療情報管理方法では、レポートが汎用プリントイメージに変換されているため、一般のＰＣでレポートを表示可能であり、汎用性が高い。
しかし、全てのレポートが汎用プリントイメージに変換されるため、汎用プリントイメージが流出すると内容を全て知られてしまい、保全性の点で問題がある。また、汎用プリントイメージは一般のＰＣで改ざんされる危険性がある。
そこで、本発明の目的は、汎用性と保全性とを両立させることが出来る診療情報配信方法および診療情報配信サーバを提供することにある。
【課題を解決するための手段】
【０００４】
第１の観点では、本発明は、汎用画像フォーマットでない形式の複数の診療情報データを保管し、ユーザからの配信要求に対して該配信要求に係る前記診療情報データを画像データに変換し、前記配信要求に関する情報であるアクセス情報および前記画像データの改変を防止するための改変防止情報を前記画像データに付加した汎用画像フォーマットの配信画像データを作成し、前記配信画像データを出力し、前記配信画像データおよび配信ログを保管することを特徴とする診療情報配信方法を提供する。
上記第１の観点による診療情報配信方法では、ユーザからの配信要求に応じて汎用画像フォーマットの配信画像データを配信するので、ユーザは一般のＰＣで診療情報を参照可能であり、汎用性が高い。
一方、汎用画像フォーマットの配信画像データを作成するのはユーザからの配信要求に応じて実際に配信したものだけであり、全ての診療情報データを汎用画像フォーマットの配信画像データに変換する訳ではないから、保全性が高くなる。
なお、ユーザに配信する配信画像データにはアクセス情報および改変防止情報が付加されると共に配信画像データおよび配信ログを保管するので、流出や改ざんを抑止できる効果もある。
【０００５】
第２の観点では、本発明は、前記第１の観点による診療情報配信方法において、前記汎用画像フォーマットでない形式が、前記診療情報データを作成したアプリケーションのデータ保存形式であることを特徴とする診療情報配信方法を提供する。
上記第２の観点による診療情報配信方法では、各診療部門で所望の診療情報データ作成用アプリケーションを使用することが出来る。
【０００６】
第３の観点では、本発明は、前記第１または前記第２の観点による診療情報配信方法において、前記汎用画像フォーマットが、ＪＰＥＧ形式，ＰＮＧ形式およびＧＩＦ形式のいずれかであることを特徴とする診療情報配信方法を提供する。
上記第３の観点による診療情報配信方法では、一般のＰＣで診療情報を参照することが出来る。
【０００７】
第４の観点では、本発明は、前記第１から前記第３のいずれかの観点による診療情報配信方法において、前記アクセス情報は、配信要求に係るユーザの識別情報および配信日時を含むことを特徴とする診療情報配信方法を提供する。
上記第４の観点による診療情報配信方法では、配信データの流出を抑止できる効果がある。
【０００８】
第５の観点では、本発明は、前記第１から前記第４のいずれかの観点による診療情報配信方法において、前記改変防止情報は、前記画像データのチェックサム情報を含むことを特徴とする診療情報配信方法を提供する。
上記第５の観点による診療情報配信方法では、画像データの改ざんを抑止できる効果がある。
【０００９】
第６の観点では、本発明は、前記第１から前記第５のいずれかの観点による診療情報配信方法において、前記画像データは、前記診療情報データに含まれる個人情報を抽出して変換した個人情報画像データと、前記個人情報以外の情報を抽出して変換した非個人情報画像データとからなることを特徴とする診療情報配信方法を提供する。
上記第６の観点による診療情報配信方法では、個人情報画像データと非個人情報画像データを分離するため、個人情報の管理が容易になる。
【００１０】
第７の観点では、本発明は、汎用画像フォーマットでない形式の診療情報データを取り込むための取り込みインタフェース部と、取り込んだ複数の診療情報データを保管するストレージ部と、ユーザからの配信要求を受け付けるための受付インタフェース部と、受け付けた配信要求に係る診療情報データを前記ストレージ部から読み出して画像データに変換すると共に前記配信要求に関する情報であるアクセス情報および前記画像データの改変を防止するための改変防止情報を前記画像データに付加した汎用画像フォーマットの配信画像データを作成するレンダリング部と、前記配信画像データを出力するための出力インタフェース部と、前記配信画像データおよび配信ログを保管する配信情報保管部とを具備したことを特徴とする診療情報配信サーバを提供する。
上記第７の観点による診療情報配信サーバでは、前記第１の観点による診療情報配信方法を好適に実施できる。また、各診療部門の端末の作業負荷を軽減できる。
【００１１】
第８の観点では、本発明は、前記第７の観点による診療情報配信サーバにおいて、前記汎用画像フォーマットでない形式が、前記診療情報データを作成したアプリケーションのデータ保存形式であることを特徴とする診療情報配信サーバを提供する。
上記第８の観点による診療情報配信サーバでは、前記第２の観点による診療情報配信方法を好適に実施できる。
【００１２】
第９の観点では、本発明は、前記第７または前記第８の観点による診療情報配信サーバにおいて、前記汎用画像フォーマットが、ＪＰＥＧ形式，ＰＮＧ形式およびＧＩＦ形式のいずれかであることを特徴とする診療情報配信サーバを提供する。
上記第９の観点による診療情報配信サーバでは、前記第３の観点による診療情報配信方法を好適に実施できる。
【００１３】
第１０の観点では、本発明は、前記第７から前記第９のいずれかの観点による診療情報配信サーバにおいて、前記アクセス情報は、配信要求に係るユーザの識別情報および配信日時を含むことを特徴とする診療情報配信サーバを提供する。
上記第１０の観点による診療情報配信サーバでは、前記第４の観点による診療情報配信方法を好適に実施できる。
【００１４】
第１１の観点では、本発明は、前記第７から前記第１０のいずれかの観点による診療情報配信サーバにおいて、前記改変防止情報は、前記画像データのチェックサム情報を含むことを特徴とする診療情報配信サーバを提供する。
上記第１１の観点による診療情報配信サーバでは、前記第５の観点による診療情報配信方法を好適に実施できる。
【００１５】
第１２の観点では、本発明は、前記第７から前記第１１のいずれかの観点による診療情報配信サーバにおいて、前記画像データは、前記診療情報データに含まれる個人情報を抽出して変換した個人情報画像データと、前記個人情報以外の情報を抽出して変換した非個人情報画像データとからなることを特徴とする診療情報配信サーバを提供する。
上記第１２の観点による診療情報配信サーバでは、前記第６の観点による診療情報配信方法を好適に実施できる。
【発明の効果】
【００１６】
本発明の診療情報配信方法および診療情報配信サーバによれば、汎用画像フォーマットの配信画像データを配信するので、ユーザは一般のＰＣで診療情報を参照可能であり、汎用性が高くなる。一方、汎用画像フォーマットの配信画像データを作成するのはユーザからの配信要求に応じて実際に配信したものだけであり、全ての診療情報データを汎用画像フォーマットの配信画像データに変換する訳ではないから、保全性も高くなる。
【発明を実施するための最良の形態】
【００１７】
以下、図に示す実施の形態により本発明をさらに詳細に説明する。なお、これにより本発明が限定されるものではない。
【実施例１】
【００１８】
図１は、実施例１に係る診療情報配信システム１００の構成説明図である。
この診療情報配信システム１００は、各診療部門で電子カルテを作成する電子カルテ作成システムＫと、診療情報配信サーバ１０と、各診療部門で電子カルテを参照するための参照端末Ｔａ，Ｔｂ，Ｔｃとを、高速ネットワークＬで接続して構成されている。
【００１９】
電子カルテ作成システムＫは、所望の市販品を利用できる。
また、参照端末Ｔａ，Ｔｂ，Ｔｃは、一般のＰＣを利用できる。
また、高速ネットワークＬは、一般のＦＴＴＨ回線を利用できる。
【００２０】
診療情報配信サーバ１０は、高速ネットワークＬを通じた通信を行うための通信部１と、電子カルテ作成システムＫで作成された汎用画像フォーマットでない形式（例えばＤＯＣ形式）の電子カルテデータを取り込むための取り込みインタフェース部２と、取り込んだ複数の電子カルテデータを保管するストレージ部３と、取り込んだ複数の電子カルテデータの管理データを保管するデータベース４と、参照端末Ｔａ，Ｔｂ，Ｔｃからの配信要求を受け付けるための受付インタフェース部５と、受け付けた配信要求に係る診療情報データをストレージ部３から読み出して画像データに変換すると共に配信要求に関する情報であるアクセス情報および画像データの改変を防止するための改変防止情報を画像データに付加した汎用画像フォーマット（例えばＪＰＥＧ形式，ＰＮＧ形式およびＧＩＦ形式のいずれかである）の配信画像データを作成するレンダリング部６と、配信画像データを出力するための出力インタフェース部７と、配信画像データを保管する配信ストレージ部８ａと、配信ログを保管する配信データベース８ｂとを具備している。
【００２１】
受付インタフェース部５は、保管している管理データを基に例えば患者名、データ作成部門と作成者名、データ作成日時、診療種別などの一覧を参照端末Ｔａ，Ｔｂ，Ｔｃに送る。
ユーザは、一覧を見て、参照したいデータを選択し、配信を要求する。
【００２２】
図２は、レンダリング部６が実行する配信処理の手順を示すフロー図である。
ステップＳ１では、配信要求を待ち、配信要求があればステップＳ２へ進む。
ステップＳ２では、配信要求に係る電子カルテデータをストレージ部３から検索して読み出す。
ステップＳ３では、配信要求に係る管理データをデータベース部４から検索して読み出す。
【００２３】
ステップＳ４では、電子カルテデータおよび管理データから個人情報（患者名や病歴など）を抽出し、図３に示す汎用画像フォーマットの個人情報画像データＧｐに変換する。
ステップＳ５では、電子カルテデータおよび管理データから個人情報として抽出しなかった情報（血液分析表やレントゲン画像など）を抽出し、図３に示す非個人情報画像データｇｔに変換する。なお、非個人情報画像データｇｔは、汎用画像フォーマットでない形式でもよいし、汎用画像フォーマットでもよい。
ステップＳ６では、配信要求に係るアクセス情報（要求部門と要求者名、要求日時など）から図３に示すアクセス情報画像データｇａを作成する。なお、アクセス情報画像データｇａは、汎用画像フォーマットでない形式でもよいし、汎用画像フォーマットでもよい。
ステップＳ７では、非個人情報画像データｇｔとアクセス情報画像データｇａのチェックサムを計算し、図３に示すチェックサム画像データｇｃを作成する。なお、チェックサム画像データｇｃは、汎用画像フォーマットでない形式でもよいし、汎用画像フォーマットでもよい。
【００２４】
ステップＳ８では、非個人情報画像データｇｔとアクセス情報画像データｇａとチェックサム画像データｇｃを１つの画像に合成し、図３に示す汎用画像フォーマットの非個人情報配信画像データＧｄを作成する。なお、非個人情報画像データｇｔとアクセス情報画像データｇａとチェックサム画像データｇｃが汎用画像フォーマットでない形式なら、合成した上で汎用画像フォーマットに変換するか、それぞれを汎用画像フォーマットに変換した上で合成する。
【００２５】
ステップＳ９では、個人情報画像データＧｐと非個人情報配信画像データＧｄを出力インタフェース部７と配信ストレージ部８ａに渡す。これに応じて、出力インタフェース部７は、配信要求した参照端末へ個人情報画像データＧｐと非個人情報配信画像データＧｄを送ると共にその配信ログをレンダリング部６に通知する。
ステップＳ１０では、出力インタフェース部６から配信ログを受け取り、配信データベース８ｂに保管する。そして、処理を終了する。
【００２６】
実施例１の診療情報配信システム１００および診療情報配信サーバ１０によれば次の効果が得られる。
（１）汎用画像フォーマットの個人情報配信画像データＧｐおよび非個人情報配信画像データＧｄをユーザに配信するので、ユーザは一般のＰＣで電子カルテを表示可能であり、汎用性が高い。
（２）汎用画像フォーマットの個人情報配信画像データＧｐおよび非個人情報配信画像データＧｄは、配信要求に応じて実際に配信したものだけが作成され保管され、全ての電子カルテを汎用画像フォーマットの画像データに変換する訳ではないから、保全性が高くなる。
（３）ユーザが公開する可能性がある非個人情報配信画像データＧｄにはアクセス情報および改変防止情報が付加されると共に配信した個人情報配信画像データＧｐおよび非個人情報配信画像データＧｄおよび配信ログを保管するので、流出や改ざんを抑止できる。
（４）各診療部門では、所望の電子カルテ作成システムＫを使用することが出来る。
（５）個人情報配信画像データＧｐと非個人情報配信画像データＧｄを別々に作成するため、個人情報の管理が容易になる。
（６）診療情報配信サーバ１０が画像作成行うので、各診療部門の端末の作業負荷を軽減できる。
【実施例２】
【００２７】
電子カルテデータおよび管理データから個人情報を抽出し、汎用画像フォーマットでない形式または汎用画像フォーマットの個人情報画像データを作成し、そのチェックサム画像データを作成し、両者を合成したものから汎用画像フォーマットの個人情報配信画像データを作成してもよい。
【産業上の利用可能性】
【００２８】
本発明は、病院や地域での診療情報の配信に利用できる。
【図面の簡単な説明】
【００２９】
【図１】実施例１に係る診療情報配信システムを示す構成説明図である。
【図２】実施例１に係るレンダリング部による配信処理を示すフロー図である。
【図３】各画像データと配信画像データを示す概念図である。
【符号の説明】
【００３０】
２                  取り込みインタフェース部
３                  ストレージ部
４                  管理データベース部
５                  受付インタフェース部
６                  レンダリング部
７                  出力インタフェース部
８ａ                配信ストレージ部
８ｂ                配信データベース部
１０                診療情報配信サーバ
１００              診療情報配信システム
【図１】
0004615477.tif 000002
【図２】
0004615477.tif 000003
【図３】
0004615477.tif 000004